(57)【要約】【課題】針金等によるサムターンの回転を阻止でき、しかも、従来同様の回転のみによる操作を可能とする。【解決手段】既存サムターン２３の摘み３１を覆う後付け防犯サムターン２１において、摘み３１を挿入する嵌入穴５１ａを後面５１ｂに有し嵌入穴５１ａに挿入した摘み３１を螺着手段５３によって固定して摘み３１を包囲して被着される回動円板５１と、回動円板５１の前面５１ｃに取り付け固定され前端面にフランジ部５５ａを有した止軸５５と、湾曲面の凹状内面で回動円板５１を前面５１ｃから覆う碗状に形成され止軸５５に回動自在に支持されるとともにフランジ部５５ａによって止軸５５からの抜脱が規制され且つ回動円板５１の周縁を表出させる窓部を有した空転部材５７とを設けた。【選択図】　　　図１
2004036262.tif 000002
【特許請求の範囲】
【請求項１】
扉の屋内面に取り付けられた既存サムターンの摘みを覆う後付け防犯サムターンであって、
前記摘みを挿入する嵌入穴を後面に有し該嵌入穴に挿入した前記摘みを螺着手段によって固定して前記摘みを包囲して被着される回動円板と、
該回動円板の前面に取り付け固定され前端面にフランジ部を有した止軸と、
湾曲面の凹状内面で前記回動円板を前面から覆う碗状に形成され前記止軸に回動自在に支持されるとともに前記フランジ部によって前記止軸からの抜脱が規制され且つ前記回動円板の周縁を表出させる窓部を有した空転部材と、
を具備したことを特徴とする後付け防犯サムターン。
【請求項２】
請求項１記載の後付け防犯サムターンにおいて、
前記止軸の先端面に、回転位置表示手段が設けられたことを特徴とする後付け防犯サムターン。
【発明の詳細な説明】
【０００１】
【発明の属する技術分野】
本発明は、扉の施解錠操作に用いられる既存のサムターンを覆う後付け防犯サムターンに関する。
【０００２】
【従来の技術】
例えば扉に設けられる施錠装置は、屋外側に表出させたシリンダー錠の鍵孔に、合鍵（キー）を挿入して回動操作することにより、扉の木口より進退させたデッドボルトを扉枠に設けたストライクに係合・係合解除して施解錠を行うとともに、屋内側からは、サムターンの摘みを回動操作するのみで、デッドボルトを進退させて、扉の施解錠を簡便に行えるようにしている。
【０００３】
ところが、近年、ポスト口や、機械工具によって開けた小さな穴から針金等を挿入し、回転操作の容易なサムターンに係止して回転させ、施錠装置を解錠する不正解錠が増えている。このようなサムターンに針金等を係止して回転させることを防止するものに例えば実公平４−４０３６２号公報に開示されるサムターン用防犯カバーがある。
【０００４】
この防犯カバー１は、図３，図４に示すように、サムターン２が嵌入する嵌入孔３が形成されているとともに、回転時に円状軌跡２ｂを描くサムターン２の外面２ａを覆う部分が、円状軌跡に沿う円形状に形成されている。そして、嵌入孔３内に螺入してサムターン２の側面に当接し、両側から挟持するセットスクリュー４、４が設けられている。
このような構成からなる防犯カバー１は、嵌入孔３にサムターン２を挿入することで、サムターン２に防犯カバー１を覆うように被せる。その後セットスクリュー４、４を螺入させて締め付けることで、防犯カバー１をサムターン２に固定する。従って、サムターン２に被せた防犯カバー１によって、針金等を係止させて回転させることが難しくなる。
【０００５】
また、上記した防犯カバーの別態様として、図５に示すように、防犯カバー１を、取付部５及び本体部６から構成したものが開示されている。取付部５は、上記の防犯カバー１の外形を手での操作が容易となるように形成し、本体部６が係止する係止突部５ａを設けている。取付部５は、サムターン２に被せた状態で、サムターン２を容易に回転させることができる。また、本体部６は、係止突部５ａに係止可能な係止部６ａを有している。このようにすることで、係止作業という簡単な作業で、防犯カバー１の着脱が行える。さらに係止部６ａで本体部６が空転することにより、針金等を係止させて回転させることが不可能となる。
【０００６】
さらに、上記した防犯カバーの別態様として、図６に示すように、係止部６ａ内に、係止突部５ａとの間にバネ部材８を設け、本体部６側の外周縁に複数の係合凹部５ｂと、この係合凹部５ｂに係合可能な係合凸部６ｂとを設けたものが開示されている。
このような構成とすれば、本体部６を常に取り付けたままとしておくことができる。すなわち、常時は係止突部５ａと係止部６ａとで本体部６が空転し、サムターン２を回転させたいときは、本体部６を手で押圧し、係合凸部６ｂを取付部５の係合凹部５ｂに係合させ、この係合状態のまま本体部６を回転させることにより、サムターン２を回転させることができた。
【０００７】
【発明が解決しようとする課題】
しかしながら、図３，図４に示された防犯カバーは、外形が円筒体形状であるため、サムターンに被せた場合、本来小判形状であることからその回転位置によって視認できたサムターンの施錠状態又は非施錠状態を視認不能にしてしまい、施解錠の操作性を低下させる問題があった。
【０００８】
また、図５に示された防犯カバーは、サムターンを回転操作可能にする取付部と、この取付部に対し空転しかつ着脱可能となる本体部とから構成されているため、脱着した本体部の保管管理が煩雑となり、本体部を紛失する虞もあった。
【０００９】
さらに、図６に示された防犯カバーは、本体部を常に取り付けたままとできるので、本体部の紛失はなくなるが、サムターンの回転操作時には本体部を手で押圧しながら回転させなければならないため、操作性を低下させた。
【００１０】
本発明は上記状況に鑑みてなされたもので、その第一の目的は、針金や棒等によるサムターンの回転を阻止できるとともに、着脱部材を不要にし、しかも、従来同様の回転のみによる操作が可能となる後付け防犯サムターンを提供し、もって、防犯性、操作性の向上を図ることにある。また、その第二の目的は、サムターンの回転位置が容易に視認できる後付け防犯サムターンを提供し、もって、操作性の向上を図ることにある。
【００１１】
【課題を解決するための手段】
次に、上記の課題を解決するための手段を、実施の形態に対応する図面を参照して説明する。
この発明の請求項１記載の後付け防犯サムターン２１は、扉２５の屋内面２５ａに取り付けられた既存サムターン２３の摘み３１を覆う後付け防犯サムターン２１であって、
前記摘み３１を挿入する嵌入穴５１ａを後面５１ｂに有し該嵌入穴５１ａに挿入した前記摘み３１を螺着手段５３によって固定して前記摘み３１を包囲して被着される回動円板５１と、
該回動円板５１の前面５１ｃに取り付け固定され前端面にフランジ部５５ａを有した止軸５５と、
湾曲面５７ａの凹状内面で前記回動円板５１を前面５１ｃから覆う碗状に形成され前記止軸５５に回動自在に支持されるとともに前記フランジ部５５ａによって前記止軸５５からの抜脱が規制され且つ前記回動円板５１の周縁５１ｋを表出させる窓部５７ｂを有した空転部材５７と、
を具備したことを特徴とする。
【００１２】
この後付け防犯サムターン２１では、既存サムターン２３の摘み３１が回動円板５１によって覆われ、摘み３１が回動円板５１によって操作可能となり、回動円板５１には、回動円板５１の一部を表出する空転部材５７が被される。従って、針金や棒等を用いても回動円板５１は滑りにより、また、空転部材５７は空回りにより摘み３１へ回転力を伝達しない。そして、サムターンの操作時には、空転部材５７と共に窓部５７ｂから表出した回動円板５１を摘むことで、従来同様の回転操作のみにより施解錠操作することが可能となる。
【００１３】
請求項２記載の後付け防犯サムターン２１は、請求項１記載の後付け防犯サムターン２１において、
前記止軸５５の先端面に、回転位置表示手段５５ｄが設けられたことを特徴とする。
【００１４】
この後付け防犯サムターン２１では、回動円板５１に覆われることで視認できなくなった摘み３１の回転位置が、回転位置表示手段５５ｄを介して知ることができ、施錠及び解除の操作性が向上する。
【００１５】
【発明の実施の形態】
以下、本発明に係る後付け防犯サムターンの好適な実施の形態を図面を参照して詳細に説明する。
図１は本発明に係る後付け防犯サムターンを既存サムターンと共に表した縦断面図、図２は図１に示した後付け防犯サムターンの分解斜視図である。
【００１６】
まず、本実施の形態による後付け防犯サムターン２１の説明に先立ち、後付け防犯サムターン２１によって覆われることとなる既存サムターン２３について説明する。
図１に示すように、扉２５には図示しない錠箱が設けられ、この錠箱にはラッチボルト，デッドボルト，及びこれらを扉２５の木口から進退させる錠箱機構部を内設している。
扉２５は屋内側の面である屋内面２５ａに既存サムターン２３を突設している。上記した錠箱のデッドボルトは、扉２５の屋外側の面に設けたシリンダー錠をキーによって、又はこの既存サムターン２３の摘み３１を回動することによって扉２５の木口から進退可能となる。
【００１７】
既存サムターン２３は、筒状支持部２７と、筒状支持部２７に嵌挿されるサムターン軸２９と、サムターン軸２９と相対回転不能に連結、若しくはこのサムターン軸２９と一体に形成される摘み３１と、筒状支持部２７の先端部に外嵌される飾り筒３３と、飾り筒３３に外嵌され、筒状支持部２７に外挿されたコイルバネ３５によって屋内面２５ａに押付けられる略円錐形状の化粧リング３７とを主要な構成部材として有している。
【００１８】
筒状支持部２７は、略円筒形に形成されている。筒状支持部２７の後端部２７ａには、軸線に直交方向の一対の凸部３９，３９が外周の上下に設けられている。これら凸部３９，３９には固定穴４１が形成されている。筒状支持部２７の後端部は、屋内面２５ａに穿設した挿入穴２５ｂに挿入され、扉２５内に設けた図示しない錠箱にこの固定穴４１を介して固定される。これにより、筒状支持部２７は、錠箱に回動不能に固定され、この錠箱を介して扉２５の屋内面２５ａ側に固設されることになる。
【００１９】
筒状支持部２７の先端は、屋内面２５ａより突出し、その外周には、先端側を切除した略円錐状の化粧リング３７を、先端部が筒状支持部２７の先端となるように取り付けている。また、筒状支持部２７の先端には、飾り筒３３が設けられ、筒状支持部２７の先端面を覆っている。
【００２０】
サムターン軸２９は、基端部が断面十字形状の入力部４３となり、この入力部４３が図示しない錠箱機構部の入力軸に相対回転不能に嵌入される。サムターン軸２９は、筒状支持部２７に挿通支持され、図示しないＥリングなどの移動規制部材が取り付けられて、筒状支持部２７に対して抜脱が規制され、回動自在に支持される。サムターン軸２９の先端部は、飾り筒３３の先端面から突出する摘み３１に相対回転不能に連結される。従って、既存サムターン２３は、摘み３１が回動されることで、サムターン軸２９を介して入力部４３により錠箱機構部内が操作され、デッドボルトが扉２５の木口から進退するようになっている。
【００２１】
本実施の形態による後付け防犯サムターン２１は、この既存サムターン２３に後付けすることができる。
後付け防犯サムターン２１は、摘み３１を挿入する嵌入穴５１ａを後面５１ｂに有し嵌入穴５１ａに挿入した摘み３１を螺着手段５３によって固定して摘み３１を包囲して被着される回動円板５１と、回動円板５１の前面５１ｃに取り付け固定され前端面にフランジ部５５ａを有した止軸５５と、湾曲面５７ａの反対側の面となる凹状内面で回動円板５１を前面５１ｃから覆う碗状に形成され止軸５５に回動自在に支持されるとともにフランジ部５５ａによって止軸５５からの抜脱が規制され、かつ回動円板５１の周縁５１ｋを表出させる窓部５７ｂを有した空転部材５７とを備えている。
【００２２】
回動円板５１は、後面５１ｂ側の大径部５１ｄの前面に、小径部５１ｅを同軸上に形成することで、段部５１ｆを有している。大径部５１ｄの側面には半径方向に螺着手段５３であるネジ孔５１ｇが形成され、ネジ孔５１ｇは嵌入穴５１ａに通じている。このネジ孔５１ｇには螺着手段５３である固定用ネジ６１が螺合される。すなわち、回動円板５１は、嵌入穴５１ａに摘み３１を挿入し、ネジ孔５１ｇに螺合した固定用ネジ６１を締め付けることで、固定用ネジ６１の先端を摘み３１に圧接して摘み３１に取り付け固定できるようになっている。つまり、回動円板５１は、摘み３１と一体回転するように取り付けられる。
【００２３】
回動円板５１の前面５１ｃ略中央には凹部５１ｈが形成され、凹部５１ｈには止軸５５の基端５５ｂが嵌入される。また、凹部５１ｈには一対のネジ孔５１ｊが形成されている。一方、止軸５５にはフランジ部５５ａに開口する一対の固定穴５５ｃが軸線方向に穿設されている。止軸５５は、この固定穴５５ｃに挿通した図示しないビスを回動円板５１のネジ孔５１ｊに螺合することで、基端５５ｂを凹部５１ｈに嵌合して取り付け固定される。
【００２４】
この止軸５５のフランジ部５５ａには回転位置表示手段５５ｄが設けられている。回転位置表示手段５５ｄは、微小な凹凸による標示、印刷や刻印、あるいは部分的な着色による色分け等とされている。例えば、図２に示すように、解錠時では回転位置表示手段５５ｄは縦長状とされており、施錠する場合、時計回り方向に回動円板５１を９０度回転させると、横長状となり、解錠時と施錠時とが識別可能となっている。
【００２５】
空転部材５７は、中央部に止軸５５の挿通される貫通穴６３を有している。空転部材５７は、碗部５７ｃの湾曲面５７ａから突出して、貫通穴６３ら曲面に沿って放射状に延在する複数、本実施の形態では４つの凸条部６５を有している。凸条部６５は、碗部５７ｃの裾から延出している。
【００２６】
空転部材５７の凸条部６５は、延出先端を、回動円板５１の大径部５１ｄの外側に配置する。凸条部６５の延出先端の内側には段部６５ａが形成されている。この段部６５ａは、回動円板５１の段部５１ｆと組み合わさるようになっている。この状態で、空転部材５７は止軸５５に対して回転自在となる。従って、空転部材５７は、回動円板５１に対して相対回転自在に保持される。空転部材５７は、凸条部６５同士の間隙が窓部５７ｂとなっている。この窓部５７ｂからは、回動円板５１の周縁５１ｋが表出するようになっている。
【００２７】
従って、回動円板５１には回動円板５１と止軸５５とが組み付けられ、回動円板５１が螺着手段５３によって摘み３１に固定されることで、後付け防犯サムターン２１全体が摘み３１に取り付け固定されることになる。
【００２８】
次に本実施の形態の動作について説明する。
まず、屋内側から施錠する場合について説明する。
操作者は、窓部５７ｂから表出している回動円板５１の周縁５１ｋを摘む。このとき、摘んだ手指は、空転部材５７も同時に摘むこととなっても良い。
【００２９】
摘んだ手を捻って回動円板５１を例えば時計回りに回転させると、摘み３１もそれに伴って回動する。そして、例えば９０度回動されると、サムターン軸２９の入力部４３により錠箱機構部内が操作され、デッドボルトが扉２５の木口に進出する。
【００３０】
これにより屋内側から扉２５が施錠される。このとき、止軸５５のフランジ部５５ａの回転位置表示手段５５ｄは横長になっており、屋内側から施錠されていることが視認される。
【００３１】
なお、回動円板５１の周縁５１ｋを摘んだ指が回動円板５１の回動に伴って凸条部６５の側部に当接し、これによって、空転部材５７は回動円板５１と同方向に回転する。
【００３２】
次に、施錠状態から解掟するときは、凸条部６５の間である窓部５７ｂより表出している回動円板５１の周縁５１ｋを摘む。回動円板５１を反時計回り方向に回転させると、サムターン軸２９もそれに伴って回転する。回動円板５１が９０度回動されると、サムターン軸２９の入力部４３により錠箱機構部内が操作され、扉２５の木口に進出しているデットボルトが扉２５の木口から後退させられる。
【００３３】
これにより屋内側から扉２５が解錠される。このとき、凸条部６５のフランジ部５５ａの回転位置表示手段５５ｄは縦長になっており、屋内側から解錠されていることが視認される。
【００３４】
また、施錠時において、扉２５等に設けられた小窓を割り、或いは扉２５と扉枠の隙間から針金を差し入れて、外部より後付け防犯サムターン２１を不正に操作しようとする場合、回動円板５１に係止しようとしても円板形状であるために係止することができす、針金が円周方向に滑ることとなる。
【００３５】
また、針金が凸条部６５に係止されようとしても、空転部材５７自身が止軸５５に対して回転自在であるため、空転部材５７が空転するのみであり、止軸５５及び摘み３１を回動させることができず、デッドボルトも進退しないこととなる。従って、不正解錠を防止することができる。
【００３６】
このように、上記の後付け防犯サムターン２１によれば、既存サムターン２３の摘み３１が回動円板５１によって覆われ、摘み３１が回動円板５１によって操作可能となり、回動円板５１には、回動円板５１の一部を表出する空転部材５７が被される。従って、針金や棒等を用いても回動円板５１は滑りにより、また、空転部材５７は空回りにより摘み３１へ回転力を伝達しない。そして、摘み３１の操作時には、窓部５７ｂから表出した回動円板５１を摘むことで、従来同様の回転操作のみにより施解錠操作することが可能となる。
【００３７】
そして、回動円板５１の外側に空転部材５７を配設するので、空転部材５７と共に、窓部５７ｂから表出した回動円板５１を摘むことができ、回動円板５１のみを摘む場合に比べて、指が滑り難くなり、またこの回動操作により空転部材５７が回動円板５１とともに回動することから、操作者の操作感を得られ、操作性を良好にすることができる。
【００３８】
また、回動円板５１に覆われることで視認できなくなった摘み３１の回転位置が、回転位置表示手段５５ｄを介して知ることができ、操作性を向上させることができる。
【００３９】
なお、上述した実施の形態では、凸条部６５を周方向に４つ形成することとしたが、４つに限定されることはなく、例えば、１個〜３個であってもよく、また５個以上であってもよい。この場合、凸条部６５同士の間隔は、回動円板５１が指に摘まれて回動操作可能となる程度の間隔であればよい。
【００４０】
【発明の効果】
以上説明したように、本発明に係る請求項１記載の後付け防犯サムターンによれば、既存サムターンの摘みが回動円板によって覆われ、摘みが回動円板によって操作可能となり、回動円板には、回動円板の一部を表出する空転部材が被されるので、針金や棒等を用いても回動円板は滑りにより、また、空転部材は空回りにより既存サムターンへの回転力の入力を阻止することができる。そして、サムターンの操作時には、窓部から表出した回動円板を摘むことで、従来同様の回転操作のみにより施解錠操作することができる。この結果、着脱部材を不要にし、防犯性、操作性を向上させることができる。
【００４１】
請求項２記載の後付け防犯サムターンによれば、止軸の先端面に回転位置表示手段を設けたので、回動円板に覆われることで視認できなくなった摘みの回転位置を、回転位置表示手段を介して知ることができ、操作性を向上させることができる。
【図面の簡単な説明】
【図１】本発明に係る後付け防犯サムターンを既存サムターンと共に表した縦断面図である。
【図２】図１に示した後付け防犯サムターンの分解斜視図である。
【図３】従来の防犯カバーの扉への取り付け状態を示す斜視図である。
【図４】図３に示した防犯カバーの内部状態を表す断面図である。
【図５】図３に示した防犯カバーの別態様を表す部分破断側面図である。
【図６】図３に示した防犯カバーのさらに別態様を表す部分破断側面図である。
【符号の説明】
２１…後付け防犯サムターン
２３…既存サムターン
２５…扉
２５ａ…屋内面
３１…摘み
５１…回動円板
５１ａ…嵌入穴
５１ｂ…後面
５１ｃ…前面
５１ｋ…周縁
５３…螺着手段
５５ａ…フランジ部
５５…止軸
５５ｄ…回転位置表示手段
５７…空転部材
５７ａ…湾曲面
５７ｂ…窓部
【図１】
2004036262.tif 000003
【図２】
2004036262.tif 000004
【図３】
2004036262.tif 000005
【図４】
2004036262.tif 000006
【図５】
2004036262.tif 000007
【図６】
2004036262.tif 000008